(57)【特許請求の範囲】
【請求項１】
第１方向と、前記第１方向に交差する第２方向とに２個ずつ並んだ４個のサブ画素によって構成される画素をマトリクス状に配置した表示パネルに画像を表示させるための画像処理装置であって、
前記第１方向及び前記第２方向に配置される各画素が３色の階調値で表現された画像データを取得する取得部と、
前記取得部により取得された画像データが表す画像の前記第１方向及び前記第２方向のサイズをそれぞれｎ／ｍ倍（ただし、ｍ及びｎは１＜ｎ／ｍ＜２を満たすあらかじめ決められた整数）に拡大するスケーリング処理部と、
前記スケーリング処理部により拡大された３色の画像データを前記４個のサブ画素に対応してＲ、Ｇ、Ｇ及びＢの４色分又はＲ、Ｇ、Ｇと共通の色成分の色及びＢの４色分の画像データに変換する色変換処理部と、
前記色変換処理部により変換された画像データの各画素の色を前記４個のサブ画素の配置に応じて１色に間引く間引き処理部と
を備える画像処理装置。
【請求項２】
ｍ≦１０であることを特徴とする請求項１に記載の画像処理装置。
【請求項３】
ｍ＝２であってｎ＝３であることを特徴とする請求項２に記載の画像処理装置。
【請求項４】
請求項１ないし３のいずれか１項に記載の画像処理装置と、
請求項１に記載の表示パネルであって、前記サブ画素の総数が前記画像データの画素数のｎ／ｍ倍以上である表示パネルと
を備える表示装置。
【請求項５】
第１方向と、前記第１方向に交差する第２方向とに２個ずつ並んだ４個のサブ画素によって構成される画素をマトリクス状に配置した表示パネルに画像を表示させるための画像処理方法であって、
前記第１方向及び前記第２方向に配置される各画素が３色の階調値で表現された画像データを取得し、
前記取得された画像データの前記第１方向及び前記第２方向のサイズをそれぞれｎ／ｍ倍（ただし、ｍ及びｎは１＜ｎ／ｍ＜２を満たすあらかじめ決められた整数）に拡大するスケーリング処理を実行し、
前記スケーリング処理により拡大された３色の画像データを前記４個のサブ画素に対応してＲ、Ｇ、Ｇ及びＢの４色分又はＲ、Ｇ、Ｇと共通の色成分の色及びＢの４色分の画像データに変換する色変換処理を実行し、
前記色変換処理により変換された画像データの各画素の色を前記４個のサブ画素の配置に応じて１色に間引く間引き処理を実行する
画像処理方法。
【発明の詳細な説明】
【技術分野】
【０００１】
本発明は、４個のサブ画素によって構成される画素によって画像を表示する技術に関する。
【背景技術】
【０００２】
ベイヤー（Bayer）配列は、４個のサブ画素によって１画素を構成するものであって、Ｇ（緑）のサブ画素を２個、Ｒ（赤）、Ｂ（青）のサブ画素をそれぞれ１個用い、これらのサブ画素を縦方向及び横方向に２個ずつ並べた画素をマトリクス状に配置したものである。また、ベイヤー配列におけるＧのサブ画素の一方を他の色（例えば白）に置き換える技術も知られている（例えば特許文献１参照）。
【０００３】
一方、このような画素を有する表示装置に入力される画像データは、一般的には、各画素がＲ、Ｇ、Ｂの３色によって表現されている。そのため、かかる表示装置においては、画像を表示するために、３色分の階調値から４色分の階調値を求める色変換処理や、表示できない画素のデータを間引く間引き処理などが実行される。
【先行技術文献】
【特許文献】
【０００４】
【特許文献１】特開昭６０−６１７２４号公報
【発明の概要】
【発明が解決しようとする課題】
【０００５】
ベイヤー配列の表示装置において、人間の視覚的な解像感に最も影響を与えるＧの色表示に着目した場合、当該色の縦方向及び横方向の解像度は、表示装置の画素数（すなわちサブ画素の総数）の１／√２（２の平方根の逆数）倍に相当する。したがって、Ｇの色表示について、入力される画像データと同等の解像度を実現するためには、スケーリング処理によって画像データのサイズ（すなわち画素数）を√２倍に増やし、解像度の減少を相殺することが考えられる。しかしながら、このように解像度のみに着目したスケーリング処理を実行すると、画像を表示したときにモアレが目立ってしまうという問題が生じる。
そこで、本発明は、視覚的に望ましい解像度を得つつモアレが目立ちにくい画像表示を実現することを目的とする。
【課題を解決するための手段】
【０００６】
本発明の一態様に係る画像処理装置は、第１方向と、前記第１方向に交差する第２方向とに２個ずつ並んだ４個のサブ画素によって構成される画素をマトリクス状に配置した表示パネルに画像を表示させるための画像処理装置であって、前記第１方向及び前記第２方向に配置される各画素が３色の階調値で表現された画像データを取得する取得部と、前記取得部により取得された画像データが表す画像の前記第１方向及び前記第２方向のサイズをそれぞれｎ／ｍ倍（ただし、ｍ及びｎは１＜ｎ／ｍ＜２を満たすあらかじめ決められた整数）に拡大するスケーリング処理部と、前記スケーリング処理部により拡大された３色の画像データを前記４個のサブ画素に対応してＲ、Ｇ、Ｇ及びＢの４色分又はＲ、Ｇ、Ｇと共通の色成分の色及びＢの４色分の画像データに変換する色変換処理部と、前記色変換処理部により変換された画像データの各画素の色を前記４個のサブ画素の配置に応じて１色に間引く間引き処理部とを備える構成を有する。
この画像処理装置によれば、視覚的に望ましい解像度を得つつモアレが目立ちにくい画
像表示を実現することが可能である。
【０００７】
好ましい態様において、前記画像処理装置は、ｍ≦１０であり、より好ましくは、ｍ＝２であってｎ＝３である。
この態様によれば、モアレをより目立ちにくくすることが可能である。
【０００８】
本発明の他の態様に係る表示装置は、前記画像処理装置と、前記サブ画素の総数が前記画像データの画素数のｎ／ｍ倍以上である表示パネルとを備える構成を有する。
この表示装置によれば、視覚的に望ましい解像度を得つつモアレが目立ちにくい画像表示を実現することが可能である。
【０００９】
本発明の他の態様に係る画像処理方法は、第１方向と、前記第１方向に交差する第２方向とに２個ずつ並んだ４個のサブ画素によって構成される画素をマトリクス状に配置した表示パネルに画像を表示させるための画像処理方法であって、前記第１方向及び前記第２方向に配置される各画素が３色の階調値で表現された画像データを取得し、前記取得された画像データの前記第１方向及び前記第２方向のサイズをそれぞれｎ／ｍ倍（ただし、ｍ及びｎは１＜ｎ／ｍ＜２を満たすあらかじめ決められた整数）に拡大するスケーリング処理を実行し、前記スケーリング処理により拡大された３色の画像データを前記４個のサブ画素に対応してＲ、Ｇ、Ｇ及びＢの４色分又はＲ、Ｇ、Ｇと共通の色成分の色及びＢの４色分の画像データに変換する色変換処理を実行し、前記色変換処理により変換された画像データの各画素の色を前記４個のサブ画素の配置に応じて１色に間引く間引き処理を実行するものである。
この画像処理方法によれば、視覚的に望ましい解像度を得つつモアレが目立ちにくい画
像表示を実現することが可能である。
【図面の簡単な説明】
【００１０】
【図１】プロジェクターのハードウェア構成を示すブロック図
【図２】液晶パネルのサブ画素の配置を示す図
【図３】画像処理部の構成をより詳細に示すブロック図
【図４】フィルター処理部によるフィルター特性の一例を示す図
【図５】ベイヤー配列のサブ画素によって形成される格子を示す図
【図６】画像処理部によるスケーリング処理、色変換処理及び間引き処理を説明するための図
【図７】繰り返しパターンの周期を示す図
【発明を実施するための形態】
【００１１】
［実施形態］
図１は、本発明の一実施形態であるプロジェクター１０のハードウェア構成を示すブロック図である。プロジェクター１０は、いわゆる単板方式のプロジェクターであり、ピコプロジェクターやマイクロプロジェクターと呼ばれるような、比較的小型のプロジェクターである。プロジェクター１０は、取得部１１０と、画像処理部１２０と、表示部１３０とを備える。
【００１２】
取得部１１０は、画像データを取得する手段である。取得部１１０は、例えば、ＵＳＢ（Universal Serial Bus）やＩｒＤＡ（Infrared Data Association）などの所定の規格に準拠した通信インターフェースを備え、外部装置（パーソナルコンピュータなど）から送信された画像データを取得する。あるいは、取得部１１０は、いわゆるメモリーカードのような着脱可能な記録媒体のリーダーを備え、記録媒体に記憶された画像データを読み取る構成であってもよいし、１又は複数の通信インターフェースとリーダーとを兼ね備えた構成であってもよい。
【００１３】
本実施形態の画像データは、カラー画像を表すデータであって、各画素がＲ、Ｇ、Ｂの３色の階調値で表現されたいわゆるｎＨＤサイズの画像データである。この画像データは、６４０×３６０、すなわち、横方向（水平方向）に６４０画素、縦方向（垂直方向）に３６０画素の解像度を有する縦横比が１６：９の画像データである。また、画像データの各色の階調数は、特に限定されるものではないが、ここでは２５６階調（すなわち階調値としては０〜２５５）であるとする。なお、ここでいう画像データは、静止画を表す画像データであってもよいし、動画を表す画像データであってもよい。
【００１４】
画像処理部１２０は、取得部１１０により取得された画像データに対して画像処理を実行する手段である。画像処理部１２０は、画像のサイズ（すなわち画像データの画素数）を変換するスケーリング処理と、Ｒ、Ｇ、Ｂの３色の画像データを４色分の画像データに変換する色変換処理と、画像データの画素数を間引く間引き処理とを少なくとも実行する。これらの画像処理は、画像データを表示部１３０の構成的な特性に合わせるために実行されるものである。なお、画像処理部１２０は、これらの画像処理に加え、ガンマ変換などの周知の画像処理を実行してもよい。
【００１５】
表示部１３０は、画像処理部１２０により画像処理が実行された画像データに応じた画像を表示する手段である。表示部１３０は、光をスクリーンに投射することによって画像を表示するものであり、光源１３１と、液晶パネル１３２と、投射光学系１３３とを備える。光源１３１は、ＬＥＤ（Light Emitting Diode）やレーザーダイオードを備え、白色光を照射する。液晶パネル１３２は、ベイヤー配列を有する透過型の表示パネルとその駆動回路とを有する。液晶パネル１３２は、４個のサブ画素によって１個の画素を構成する。液晶パネル１３２のサブ画素は、それぞれ、カラーフィルターなどによって光の透過状態が制御され、白色光のうちの特定の波長域の成分を透過するように構成された液晶素子（光変調素子）である。投射光学系１３３は、液晶パネル１３２を透過した光を投射するための部材を備える。なお、投射光学系１３３は、図１では簡略的に示されているが、複数のレンズによって構成されてもよいし、凸レンズ以外のレンズを含んでもよい。
【００１６】
なお、液晶パネル１３２のサブ画素の総数は、ここでは横方向に９６０画素、縦方向に５４０画素であるとする。すなわち、液晶パネル１３２のサブ画素の総数は、プロジェクター１０に入力される画像データの画素数の１．５×１．５倍（９／４倍）である。ただし、液晶パネル１３２は、４個のサブ画素によって１個の画素を構成するため、（サブ画素の数ではなく）画素の数としてはその１／４の画素数となる。
【００１７】
図２は、液晶パネル１３２のサブ画素の配置を示す図である。同図において、Ｘ方向は横方向に相当し、Ｙ方向は縦方向に相当する。液晶パネル１３２は、図中のＸ方向と、これに直交するＹ方向とにサブ画素が並んで配置されており、Ｘ方向に隣り合う２個のサブ画素と、この２個のサブ画素とＹ方向に隣り合う２個のサブ画素とによって１画素が構成される。液晶パネル１３２は、Ｘ方向に沿った奇数行にはＧとＲに対応するサブ画素が順番に並んでおり、Ｘ方向に沿った偶数行にはＢとＧに対応するサブ画素が順番に並んでいる。また、液晶パネル１３２は、Ｙ方向に沿った奇数列にはＧとＢに対応するサブ画素が順番に並んでおり、Ｙ方向に沿った偶数列にはＲとＧに対応するサブ画素が順番に並んでいる。なお、ここにおいて、Ｘ方向が本発明における第１方向に相当し、Ｙ方向が本発明における第２方向に相当する。
【００１８】
ここでは、各サブ画素は同サイズの正方形であり、それぞれの間隔がＸ方向及びＹ方向のいずれにも等しいとする。このようにすると、１画素を構成する４個のサブ画素は、正方形状に配置されていることになる。液晶パネル１３２は、このような正方形状の画素がＸ方向及びＹ方向にマトリクス状に配置されて構成される。ここにおいて、同一画素内のＧのサブ画素は、対角線方向に位置する。
【００１９】
液晶パネル１３２は、このようなサブ画素によってＲ、Ｇ、Ｂの各色の光を選択的に透過するとともに、その光の透過率を、表示する画像に応じてサブ画素毎に制御する。これにより、プロジェクター１０は、加法混色（並置加法混色）による画像のカラー表示を実現する。
【００２０】
図３は、画像処理部１２０の構成をより詳細に示すブロック図である。画像処理部１２０は、スケーリング処理部１２１と、色変換処理部１２２と、フィルター処理部１２３と、間引き処理部１２４と、ＤＡ変換部１２５とを少なくとも備える。画像処理部１２０は、図中の矢印で示された順番で各処理を実行する。
【００２１】
スケーリング処理部１２１は、スケーリング処理を実行する。スケーリング処理部１２１が実行するスケーリング処理は、縦方向及び横方向の画素数をそれぞれ１．５倍（３／２倍）し、画像のサイズを１．５倍に拡大するものである。したがって、画像データは、スケーリング処理の前後で、６４０×３６０サイズから９６０×５４０サイズに変化する。スケーリング処理後の画像データの画素数は、液晶パネル１３２のサブ画素の総数と一致する。
【００２２】
なお、スケーリング処理部１２１によるスケーリング処理の具体的な方法は、特に限定されない。例えば、スケーリング処理部１２１は、バイリニア法によって各画素の階調値を算出（すなわち補間）してもよいが、バイキュービック法や最近傍法を用いてもよいし、それ以外の方法を用いてもよい。
【００２３】
色変換処理部１２２は、色変換処理を実行する、色変換処理部１２２が実行する色変換処理は、Ｒ、Ｇ、Ｂの３色の階調値で構成される画素をＲ、Ｇ、Ｂ、Ｇの４色分の階調値で構成される画素に変換するものである。色変換処理の具体的な方法は、ベイヤー配列における周知のもののいずれであってもよい。
【００２４】
なお、ここでいう「４色分の階調値」とは、４個のサブ画素のそれぞれに割り当てられる階調値を意味し、互いに異なる４色のそれぞれに割り当てられる階調値であることを必ずしも要しない。本実施形態の場合、４色分の階調値のうちの２色分は、Ｇのサブ画素に割り当てられる階調値であり、色自体が相違するわけではない。ただし、後述する変形例に示すように、４個のサブ画素に対応する色がそれぞれ異なる場合であれば、互いに異なる４色のそれぞれに割り当てられる階調値が「４色分の階調値」に相当する。
【００２５】
フィルター処理部１２３は、フィルター処理を実行する。フィルター処理部１２３が実行するフィルター処理は、間引き処理による画像データの解像度の減少に起因する折り返し雑音をカットするためのものであり、具体的には、画像データの空間周波数の帯域を所定の範囲に制限する処理である。このとき適用されるフィルターは、ローパスフィルターである。折り返し雑音は、モアレを生じさせるものであるが、このモアレはスケーリング処理に起因するモアレとは異なるものである。
【００２６】
図４は、フィルター処理部１２３によるフィルター特性の一例を示す図である。図４（ａ）は、画像データのＲ成分又はＢ成分に適用されるフィルターの特性を示し、図４（ｂ）は、画像データのＧ成分に適用されるフィルターの特性を示している。なお、同図において、横軸（ｆx）は、Ｘ方向の周波数を表し、縦軸（ｆy）は、Ｙ方向の周波数を表している。また、同図においては、入力される画像データの周波数帯域を実線で示し、フィルターを通過する帯域（フィルターによってカットされない帯域）をハッチングで示している。
【００２７】
図４（ａ）に示すように、ベイヤー配列においては、画像データのＲ成分とＢ成分についてはＸ方向とＹ方向の双方の帯域が低域側の半分に制限されるのが一般的である。なぜならば、ＲとＢのサブ画素は、いずれも、Ｘ方向とＹ方向のいずれにも１個おきに配置されており、入力された画像データの半分の解像度でしか画像を表現できないからである。一方、Ｇのサブ画素に対するフィルターは、Ｇのサブ画素が１画素内に２個あるため、制限する帯域をＲ又はＢのサブ画素の半分にすることができる。
【００２８】
図５は、ベイヤー配列のサブ画素によって形成される格子を示す図である。同図に示すように、Ｇのサブ画素によって構成される格子は、Ｒ（又はＢ）のサブ画素によって構成される格子よりも１辺が短い正方形となり、かつ、Ｒのサブ画素により構成される格子に対して４５°傾いた形状となる。また、各格子の辺の長さを、Ｇのサブ画素とＲのサブ画素とで比較すると、前者は後者の√２／２（２の平方根を２で除した数）倍である。したがって、ベイヤー配列においては、Ｇのサブ画素ではより高解像度の表示が可能であり、Ｇ成分の通過帯域をＲ成分（又はＢ成分）の通過帯域よりも広くすることが可能である。
【００２９】
間引き処理部１２４は、間引き処理を実行する。間引き処理部１２４が実行する間引き処理は、フィルター処理部１２３によって帯域制限された各色の画像データの画素数を１／４に減じるものである。つまり、画像データは、間引き処理の前後で、９６０×５４０サイズから４８０×２７０サイズに変化する。なお、間引き処理の具体的な方法も、周知の適当なものであればよい。
【００３０】
ＤＡ変換部１２５は、デジタルデータである画像データにＤＡ変換を実行し、アナログ信号に変換する。このアナログ信号のことを、以下においては「画像信号」という。画像信号は、Ｒ、Ｇ、Ｂ、Ｇの４色分の信号で各画素を表すものであり、４色分のサブ画素のそれぞれに対応するものである。液晶パネル１３２は、この画像信号によって各画素を駆動し、各画素の階調を制御する。
【００３１】
図６は、画像処理部１２０によるスケーリング処理、色変換処理及び間引き処理を説明するための図である。同図において、実線で図示された正方形は、入力された画像データの画素をそれぞれ示し、破線で図示された正方形は、液晶パネル１３２のサブ画素をそれぞれ示す。
【００３２】
スケーリング処理前の画像データは、各画素がＲ、Ｇ、Ｂの３色の情報を有している。スケーリング処理は、入力された画像データが表す画像と同等の画像を、縦方向及び横方向の画素数を１．５倍に増やして表現するものである。したがって、画素の総数は、スケーリング処理の前後で２．２５倍（１．５×１．５倍）に増加する。よって、スケーリング処理前には２行２列の４画素で表現されていた画像は、スケーリング処理後に３行３列の９画素で表現されるようになる。なお、スケーリング処理は、画像データの画素数を増加させるが、各画素が有する情報量は変化させない（ただし、階調値自体は変化し得る。）。したがって、スケーリング処理後の画像データも、各画素がＲ、Ｇ、Ｂの３色の情報を有している。
【００３３】
スケーリング処理後の画像データに対して色変換処理を実行すると、各画素の情報がＲ、Ｇ、Ｂの３色の情報からＲ、Ｇ、Ｂ、Ｇの４色分の情報に変化する。すなわち、色変換処理は、各画素の情報量を増加させる処理である。その後の間引き処理は、サブ画素の情報量を１／４に減じる処理である。すなわち、間引き処理は、それまで各サブ画素に対して４色分の情報が割り当てられていたものを、そのサブ画素に対応する１色分の情報のみに間引くものである。
【００３４】
本実施形態の画像処理を実行すると、図６に示すように、入力された画像データの２画素分の辺の長さがスケーリング処理後の画素（サブ画素）の３画素分の辺の長さに一致し、以後、このパターンが繰り返されるようになる。このようなパターンのことを、以下においては「繰り返しパターン」という。スケーリング処理の倍率が１．５倍である場合の繰り返しパターンの周期は、スケーリング処理の倍率が約√２倍（例えば、１．４１４２倍）である場合の繰り返しパターンの周期よりも短くなる。なお、ここにおいて、「約√２倍」の意味するところは、無理数である√２に近似する所定の桁数の倍率のことである。
【００３５】
本実施形態の画像処理によれば、スケーリング処理の倍率が１．５倍にすることにより、間引き処理に起因する解像度の減少を補うとともに、モアレが目立ちにくい画像表示を実現することが可能である。本実施形態の場合であっても、繰り返しパターンが周期性を有しているため、モアレが発生しないわけではない。しかしながら、本実施形態の場合、繰り返しパターンの周期が短いために、繰り返しパターンの周期性に起因するモアレを人間の視覚的に目立ちにくくすることが可能である。
【００３６】
［変形例］
本発明は、上述した実施形態に限らず、以下に例示するさまざまな態様でも実施可能である。また、本発明は、必要に応じて、以下に示す変形例を複数組み合わせた態様でも実施することができる。
【００３７】
（１）本発明は、スケーリング処理の倍率が１．５倍（３／２倍）であるときに最大の効果を奏するものである。しかしながら、本発明は、スケーリング処理の倍率が１．５倍に限定されるものではなく、その倍率が２つの整数の比で表されるものであれば一定の効果を奏し得る。ただし、入力される画像データの解像度と実際に表示される画像の解像度のバランスをあわせて考慮すると、スケーリング処理の倍率は、ｍ、ｎを整数としたときに１＜ｎ／ｍ＜２を満たす範囲内であることが望ましく、１．２５≦ｎ／ｍ≦１．７５であるとより望ましい。
【００３８】
さらにいえば、スケーリング処理の倍率は、√２にできるだけ近く、かつ、上記ｎ／ｍのｍの値ができるだけ小さいことが望ましい。ｍの値は、例えば「１０」以下であることが望ましく、この程度であればモアレが視覚的に目立ちにくくなるが、「４」以下であるとより望ましい。望ましい倍率の例としては、「５／４（＝１．２５）」、「７／５（＝１．４）」、「１０／７（≒１．４２８５７）」、「８／５（＝１．６）」、「７／４（＝１．７５）」などが挙げられる。このような倍率であれば、繰り返しパターンの周期が比較的短くなる。
【００３９】
図７は、繰り返しパターンの周期を示す図であり、スケーリング処理の倍率が１．５倍（３／２倍）の場合と１．４倍（７／５倍）の場合の繰り返しパターンを対比して示す図である。同図に示すように、ｍの値が小さい方が、繰り返しパターンの周期が短くなる。そのため、ｍの値が小さい方が、繰り返しパターンの周期性に起因するモアレの周期も短くなる。一般的な画素のサイズを考慮すれば、繰り返しパターンの周期が短いほど、これに起因するモアレが知覚されにくくなる。
【００４０】
（２）本発明の表示パネルは、透過型の液晶パネルに限定されない。例えば、本発明の表示パネルは、反射型の液晶素子を用いた液晶パネルであってもよいし、いわゆるＬＣＯＳ（Liquid Crystal On Silicon）型であってもよい。また、本発明の光変調素子は、液晶素子に限定されず、有機ＥＬ（electroluminescence）素子のような自発光型の光変調素子であってもよい。
【００４１】
また、本発明の表示パネルは、入力される画像データの画素数のｎ／ｍ倍以上のサブ画素を有していればよく、サブ画素の数が画像データの画素数のちょうどｎ／ｍ倍である必要はない。サブ画素の数が画像データの画素数のｎ／ｍ倍を超える場合には、画像データの画素数のｎ／ｍ倍の個数のサブ画素を当該画像データが表す画像の表示に用いて、残りのサブ画素を当該画像の表示に用いないようにすればよい。また、本発明の表示パネルは、横長である必要はなく、縦長であってもよい。なお、本発明において入力される画像データも、ｎＨＤサイズに限定されず、表示パネルの解像度に応じて定められればよい。
【００４２】
（３）本発明の表示パネルの画素は、上述した実施形態の配置に限定されない。例えば、本発明の表示パネルは、図２に示した構成において、Ｒのサブ画素の位置とＢのサブ画素の位置を入れ替えたものであってもよいし、Ｒ、Ｂのサブ画素の位置とＧのサブ画素の位置とを入れ替えたものであってもよい。
【００４３】
また、本発明の表示パネルは、図２に示した構成において、２個あるＧのサブ画素のうちの一方を他の色のサブ画素として構成することも可能である。ここでいう「他の色」は、例えば白であるが、Ｇのサブ画素と共通の色成分を有する色であれば、必ずしも白に限定されない。ただし、４個のサブ画素を互いに異なる４色に割り当てた場合のフィルター処理は、いずれも図４（ａ）に示した特性になる。
【００４４】
（４）本発明の表示装置は、プロジェクター、すなわち光を投射面に投射することによって画像を表示する装置に限定されず、表示パネルに画像を表示してその画像を直視する、いわゆる直視型の表示装置であってもよい。また、本発明の表示装置は、プロジェクター付きの携帯電話機のように、他の電子機器の一部を構成するものであってもよい。
【００４５】
また、本発明の表示装置は、必ずしも小型のプロジェクターに限られるものではないが、比較的少ない画素数の表示パネルでできるだけ明るい画像表示を行おうとするときに特に効果を奏するものである。
【符号の説明】
【００４６】
１０…表示装置、１１０…取得部、１２０…画像処理部、１２１…スケーリング処理部、１２２…色変換処理部、１２３…フィルター処理部、１２４…間引き処理部、１２５…ＤＡ変換部、１３０…表示部、１３１…光源、１３２…液晶パネル、１３３…投射光学系
【図１】
0005884385.tif 000002
【図２】
0005884385.tif 000003
【図３】
0005884385.tif 000004
【図４】
0005884385.tif 000005
【図５】
0005884385.tif 000006
【図６】
0005884385.tif 000007
【図７】
0005884385.tif 000008